(57)【要約】【課題】簡易な構成により、臨場感を得ることができる画像表示装置を提供することを目的とする。【解決手段】表示部２，２１の前面又は表示部２，２１の裏面に対応する位置の少なくともいずれか一方に、音声を出力する２以上の薄膜スピーカ４〜７，２２〜２９を設けるとともに、薄膜スピーカ４〜７，２２〜２９を制御する制御部１４，３６を設け、制御部１４，３６は、表示部２，２１に表示する画像の位置に対応して、各薄膜スピーカ４〜７，２２〜２９から出力させる音声の音量を制御する。【選択図】    図１
2005012255.tif 000002
【特許請求の範囲】
【請求項１】
画像を表示する表示部を有する画像表示装置において、前記表示部の前面又は前記表示部の裏面に対応する位置の少なくともいずれか一方に、音声を出力する２以上の薄膜スピーカを設けるとともに、前記薄膜スピーカを制御する制御部を設け、前記制御部は、前記表示部に表示する画像の位置に対応して、前記各薄膜スピーカから出力させる音声の音量を制御することを特徴とする画像表示装置。
【請求項２】
前記制御部は、画像が動画である場合には、前記表示部の表示される画像の変化量が大きい位置に対応する前記薄膜スピーカから、出力させる音量を大きくすることを特徴とする請求項１に記載の画像表示装置。
【請求項３】
前記制御部は、画像に人の顔部分が含まれているか否かを判断するとともに、含まれている場合であって人の顔部分が変化する場合には、前記表示部の人の顔部分が表示される位置に対応する前記薄膜スピーカから出力させる音量を、他の前記薄膜スピーカから出力させる音量よりも大きくすることを特徴とする請求項１に記載の画像表示装置。
【請求項４】
前記制御部は、画像が静止画である場合に、当該画像に人の顔部分が含まれているか否かを判断するとともに、音声に人の声が含まれているか否かを判断し、含まれている場合には、前記表示部の人の顔部分が表示される位置に対応する前記薄膜スピーカから出力させる音量を、他の前記薄膜スピーカから出力させる音量よりも大きくすることを特徴とする請求項１に記載の画像表示装置。
【請求項５】
前記制御部は、画像が文章であって、音声が当該文章の朗読である場合には、前記表示部の出力させる音声に対応する文字が表示される位置に対応する前記薄膜スピーカから出力させる音量を、他の前記薄膜スピーカから出力させる音量よりも大きくすることを特徴とする請求項１に記載の画像表示装置。
【請求項６】
前記表示部は、薄膜ディスプレイであることを特徴とする請求項１〜５のいずれか一項に記載の画像表示装置。
【請求項７】
前記表示部は、有機ＥＬディスプレイであることを特徴とする請求項１〜６のいずれか一項に記載の画像表示装置。
【請求項８】
周囲の音を入力する集音装置を有し、前記制御部は、前記集音装置より入力された音に基づいてノイズを減少させる音を生成し、前記スピーカから出力させることを特徴とする請求項１〜７のいずれか一項に記載の画像表示装置。
【発明の詳細な説明】
【０００１】
【発明の属する技術分野】
本発明は、画像表示装置に係り、特に、画像と共に音声を出力する画像表示装置に関するものである。
【０００２】
【従来の技術】
近年、画像表示装置においては、表示部に表示された画像に対応して音声を出力する際に、臨場感のある音場を再現するために、多チャンネル音声を出力させることが行われている。
【０００３】
多チャンネル音声を出力させる画像表示装置としては、従来、表示部の画面上側及び下側にセンター用スピーカをそれぞれ配置し、表示部の両側方に右用スピーカ及び左用スピーカをそれぞれ配置するとともに、ユーザの後方に後方用スピーカを配設した画像表示装置が知られている（例えば、特許文献１参照）。
【０００４】
【特許文献１】
特開平６−０６２４９号公報
【０００５】
【発明が解決しようとする課題】
しかし、画像表示装置（特許文献１）では、各スピーカが表示部から離れた位置に配置されており、画像から離れて音声が出力されるため、臨場感を得るのに限界があった。また、各スピーカを配置させるスペースを確保しなければならず、全体の装置構成が大掛かりになるという問題があった。
【０００６】
そこで、本発明は、簡易な構成により、臨場感を得ることができる画像表示装置を提供することを目的とする。
【０００７】
【課題を解決するための手段】
上記課題を解決するために本発明による画像表示装置は、画像を表示する表示部を有する画像表示装置において、前記表示部の前面又は前記表示部の裏面に対応する位置の少なくともいずれか一方に、音声を出力する２以上の薄膜スピーカを設けるとともに、前記薄膜スピーカを制御する制御部を設け、前記制御部は、前記表示部に表示する画像の位置に対応して、前記各薄膜スピーカから出力させる音声の音量を制御することを特徴とする。
【０００８】
請求項１に記載の発明によれば、薄膜スピーカが、表示部の前面又は表示部の裏面に対応する位置の少なくともいずれか一方に設けられているため、各薄膜スピーカが占めるスペースが少なくてすむ。また、表示部に表示する画像の位置に対応して、各薄膜スピーカから出力させる音声の音量が制御されるため、画像の位置とより大きな音量で出力される音声の位置とが一致する。
【０００９】
また、請求項２に記載の発明は、請求項１に記載の画像表示装置において、前記制御部は、画像が動画である場合には、前記表示部の表示される画像の変化量が大きい位置に対応する前記薄膜スピーカから出力させる音量を大きくすることを特徴とする。
【００１０】
請求項２に記載の発明によれば、画像が動画である場合に、変化する画像の位置からより大きな音量で音声が出力される。
【００１１】
また、請求項３に記載の発明は、請求項１に記載の画像表示装置において、前記制御部は、画像に人の顔部分が含まれているか否かを判断するとともに、含まれている場合であって人の顔部分が変化する場合には、前記表示部の人の顔部分が表示される位置に対応する前記薄膜スピーカから出力させる音量を、他の前記薄膜スピーカから出力させる音量よりも大きくすることを特徴とする。
【００１２】
請求項３に記載の発明によれば、変化する人の顔部分が表示される位置から、音声がより大きな音量で出力される。
【００１３】
また、請求項４に記載の発明は、請求項１に記載の画像表示装置において、前記制御部は、画像が静止画である場合に、当該画像に人の顔部分が含まれているか否かを判断するとともに、音声に人の声が含まれているか否かを判断し、含まれている場合には、前記表示部の人の顔部分が表示される位置に対応する前記薄膜スピーカから出力させる音量を、他の前記薄膜スピーカから出力させる音量よりも大きくすることを特徴とする。
【００１４】
請求項４に記載の発明によれば、人の顔部分が表示される位置から、人の声がより大きな音量で出力される。
【００１５】
また、請求項５に記載の発明は、請求項１に記載の画像表示装置において、前記制御部は、画像が文章であって、音声が当該文章の朗読である場合には、前記表示部の出力させる音声に対応する文字が表示される位置に対応する前記薄膜スピーカから出力させる音量を、他の薄膜スピーカから出力させる音量よりも大きくすることを特徴とする。
【００１６】
請求項５に記載の発明によれば、表示部の朗読箇所に対応する文字が表示される位置からより大きな音量で音声が出力される。
【００１７】
請求項６に記載の発明は、請求項１〜５のいずれか一項に記載の画像表示装置において、前記表示部は、薄膜ディスプレイであることを特徴とする。
【００１８】
請求項６に記載の発明によれば、薄膜ディスプレイの表示部の前面又は表示部の裏面に対応する位置の少なくともいずれか一方に、薄膜スピーカが設けられているため、かさばらずにすむ。また、薄膜ディスプレイに表示される画像の位置から音声がより大きな音量で出力される。
【００１９】
請求項７に記載の発明は、請求項１〜６のいずれか一項に記載の画像表示装置において、前記表示部は、有機ＥＬディスプレイであることを特徴とする。
【００２０】
請求項７に記載の発明によれば、有機ＥＬディスプレイに表示される画像の位置から音声がより大きな音量で出力される。
【００２１】
請求項８に記載の発明は、請求項１〜７のいずれか一項に記載の画像表示装置において、周囲の音を入力する集音装置を有し、前記制御部は、前記集音装置より入力された音に基づいてノイズを減少させる音を生成し、前記スピーカから出力させることを特徴とする。
【００２２】
請求項８に記載の発明によれば、周囲のノイズが減少され、表示される画像の位置から出力される音声がより際立つ。
【００２３】
【発明の実施の形態】
以下、本発明の実施形態を図１から図６を参照して説明する。
【００２４】
図１は、本発明に係る画像表示装置の実施の一形態を示したものであり、この画像表示装置１は、写真、文字、絵等の画像を表示する表示部２を有している。表示部２としては、ＣＲＴディスプレイ、液晶ディスプレイ（ＬＣＤ）、プラズマディスプレイ（ＰＤＰ）、有機エレクトロルミネッセンス（有機ＥＬ）ディスプレイ、フィールドエミッションディスプレイ（ＦＥＤ）といった各種ディスプレイが適用可能であるが、ここでは、有機ＥＬを例にして説明する。
【００２５】
表示部２は、有機ＥＬ素子によりＲＢＧ各画素が形成されており、表示部駆動装置３（図２参照）により、所定の有機ＥＬ素子の電極に電圧が印加されることによって所定の素子が発光して画像が表示されるようになっている。
【００２６】
表示部２の前面の上下左右４つの領域には、第１薄膜スピーカ４、第２薄膜スピーカ５、第３薄膜スピーカ６、第４薄膜スピーカ７がそれぞれ設けられている。薄膜スピーカ４，５，６，７は、例えば、圧電性質を有する透明なプラスチックフィルム（ＰＶＤＦ）から成り、このＰＶＤＦの表面には、イオンプラズマ処理が施されることにより電極が形成されている。
【００２７】
そして、各薄膜スピーカ４，５，６，７は、スピーカ駆動装置８（図２参照）により、それぞれの電極に導電線を介して電圧が印加されることによって、それぞれ独立して音声が出力されるようになっている。なお、導電線は、表示部２の外側に配線させるようにすれば、画像の表示を妨げることはない。
【００２８】
また、画像表示装置１の裏面には、周囲の音を入力して、電気信号に変換する集音装置９（図２参照）が設けられている。
【００２９】
図２は、本実施形態における画像表示装置１を制御するための制御装置１０を示したものであり、この制御装置１０は、たとえば、ＣＰＵ１１、ＲＡＭ１２、ＲＯＭ１３からなり、ＲＯＭ１３に記録された処理プログラムをＲＡＭ１２に展開してＣＰＵ１１によりこの処理プログラムを実行する制御部１４を有している。
【００３０】
この制御部１４は、前述の処理プログラムに従い、表示部駆動装置３やスピーカ駆動装置８等の動作状況等のステータスに基づいて、各構成の動作を制御するようになっている。
【００３１】
ＲＯＭ１３には、表示部２に表示する画像に対応させて、いずれの薄膜スピーカ４，５，６，７からどのように音声を出力させるかを決定するための音声分配プログラム１５が記憶されている。この音声分配プログラム１５に従って、制御部１４は、表示部２の表示される画像の変化量が大きい位置に対応する薄膜スピーカ４，５，６，７ほど、大きな音声で出力させるように、各薄膜スピーカ４，５，６，７に対する音声の分配処理を行うようになっている。
【００３２】
また、ＲＯＭ１３には、周囲の雑音を減少させるためのノイズキャンセルプログラム１６が記憶されており、制御部１４は、このノイズキャンセルプログラム１６に従って、ノイズキャンセル処理を行うようになっている。具体的には、制御部１４には、集音装置９が接続されており、制御部１４は、この集音装置９より入力された音に対して位相を反転させたノイズキャンセル音を生成し、この生成したノイズキャンセル音を音声の分配割合と同じ割合の音量で各薄膜スピーカ４，５，６，７から出力させるようになっている。
【００３３】
次に、本実施形態の作用について説明する。
【００３４】
図３に示すように、まず、外部より画像データ及び音声データが制御部１４に随時入力される（Ｓ１）。すると、この入力された画像データのうち先頭３０コマ分の画像データが、読み出され（Ｓ２）、制御部１４により、表示部２の第１薄膜スピーカ４に対応する位置に画像を表示させるための第１画像データと、第２薄膜スピーカ５に対応する位置に画像を表示させるための第２画像データと、第３薄膜スピーカ６に対応する位置に画像を表示させるための第３画像データと、第４薄膜スピーカ７に対応する位置に画像を表示させるための第４画像データとに分割される（Ｓ３）。
【００３５】
なお、画像データ及び音声データとしては、例えば、ＤＶＤ等の記録媒体に記録されたデータを読取ったものや、サーバから配信されるもの、あるいは、受信したテレビ放送のアナログの信号をデジタルに変換したもの等が挙げられる。
【００３６】
画像データが分割されると、分割した各画像データの３０コマにおける差分Ｒ１，Ｒ２，Ｒ３，Ｒ４が、制御部１４によりそれぞれ求められる（Ｓ４）。差分Ｒ１，Ｒ２，Ｒ３，Ｒ４は、例えば、注目画素のデータ値の隣接するコマにおける相違を識別して積算することにより求める。
【００３７】
次に、当該３０コマにおける画像データの全差分Ｒ０（＝Ｒ１＋Ｒ２＋Ｒ３＋Ｒ４）に対する各差分Ｒ１，Ｒ２，Ｒ３，Ｒ４の相対値Ｓ１（＝Ｒ１／Ｒ０），Ｓ２（＝Ｒ２／Ｒ０），Ｓ３（＝Ｒ３／Ｒ０），Ｓ４（＝Ｒ４／Ｒ０）が、制御部１４によりそれぞれ算出される（Ｓ５）。これにより、各薄膜スピーカ４，５，６，７に対応する表示部２の各領域における画像の変化量の割合が、それぞれ求められる。
【００３８】
そして、表示部駆動装置３が制御されて３０コマ分の画像が順次表示部２に表示されるとともに、この画像に対応して、相対値Ｓ１に応じた割合の音量で、第１薄膜スピーカ４から音声が出力されるようにスピーカ駆動装置８が制御され、同様に、相対値Ｓ２に応じた割合で第２薄膜スピーカ５から、相対値Ｓ３に応じた割合で第３薄膜スピーカ６から、相対値Ｓ４に応じた割合で第４薄膜スピーカ７から音声が出力さえるように、スピーカ駆動装置８がそれぞれ制御される（Ｓ６）。これにより、表示部２に表示された画像のうち、変化量の大きい領域からより大きな音声が出力され、動いている画像から音声が発せられているように視聴される。
【００３９】
そして、次に表示部２に表示させる画像データ及び薄膜スピーカ４，５，６，７から出力させる音声データがあるか否かが判断され（Ｓ７）、ない場合には、音声分割処理を終了し（Ｓ８）、ある場合には、画像データを３０コマ分進めて（Ｓ９）、次の３０コマ分の画像データを読み出し（Ｓ２）、Ｓ３〜Ｓ７を繰り返すようになっている。
【００４０】
以上の動作と並行して、集音装置９より周囲の音が入力され、制御部１４により入力された音に対して位相を反転させたノイズキャンセル音が生成される。そして、相対値Ｓ１，Ｓ２，Ｓ３，Ｓ４に応じた割合で、音声とともに各薄膜スピーカ４，５，６，７からノイズキャンセル音が出力される。これにより、周囲のノイズが打ち消されて減少する。
【００４１】
以上より、本実施形態によれば、４つの薄膜スピーカ４，５，６，７が、表示部２の前面に設けられており、変化する画像の位置に対応して、各薄膜スピーカ４，５，６，７から出力させる音声の音量が制御され、変化する画像の位置とより大きな音量で出力される音声の位置とが一致するため、簡易な構成により、臨場感を得ることができる。
また、周囲のノイズが減少され、表示される画像の位置から出力される音声がより際立つため、より臨場感を得ることができる。
【００４２】
なお、本実施形態においては、制御部１４は、時系列の差分により音声を分配するようにしたが、顔抽出アルゴリズムにより画像中に人の口が含まれているか否かを判断するとともに、人の口と判断された部分が変化する場合には、当該部分に対応する薄膜スピーカ４，５，６，７から音声を出力させるようにしてもよい。人の口部分が変化している場合においては音声は人の声であると考えられるため、これにより、人の口から音声が発せられているように視聴される。なお、口部分の認識は、例えば、平均顔画像のテンプレートによるパターンマッチングを行い、顔領域を認定し、認定された顔領域のノード（特徴点）の密度を評価することにより口部分の位置を特定することによって行う。
【００４３】
さらに、画像が静止画である場合には、制御部１４は、当該画像に人の顔部分が含まれているか否かを判断するとともに、音声に人の声が含まれているか否かを判断し、含まれている場合には、表示部２の人の顔部分が表示される位置に対応する薄膜スピーカ４，５，６，７から音声を出力させるようにしてもよい。なお、人の声の認識は、例えば、人の声に含まれる特定の周波数が、当該音声に含まれているかを判断することによって行われる。
【００４４】
また、本実施形態においては、薄膜スピーカ４，５，６，７は、表示部２の前面に設けるようにしたが、画像表示装置１の筐体であって表示部２の裏面に対応する位置に設けるようにしてもよく、また、両方に設けるようにしてもよい。
【００４５】
また、本実施形態においては、画像及び音声を出力する際に、表示部２の各領域における差分を検出するとともに全領域に対する相対値を算出し、この相対値に応じた割合で音声を随時分配して、画像とともに出力するようにしたが、予め、各領域の差分及び相対値を算出して得た音声の分配割合を、分配データとしてＲＡＭ１２に格納し、後に画像及び音声を出力する際に、この分配データに基づいて音声を分配して画像とともに出力するようにしてもよい。
【００４６】
また、本実施形態においては、画像の変化の割合に応じて音声を分配するようにしたが、多チャンネルで入力された音声を、対応する位置の各薄膜スピーカ４，５，６，７からそれぞれ出力するとともに、画像の変化の割合に応じた音量で各薄膜スピーカ４，５，６，７からそれぞれ音声を出力することにより、重み付けを行うようにしてもよい。さらに、ユーザの指示を入力する入力操作部を設け、この入力操作部からの入力指示により、画像の変化の割合に応じた音量による重み付けを行わない省エネルギーモードを選択できるようにしてもよい。
【００４７】
また、本実施形態においては、薄膜スピーカ４，５，６，７を４つ設けるようにしたが、薄膜スピーカの個数はこれに限定されるものではない。
【００４８】
さらに、１つの薄膜スピーカに透明の導電線により配線を施すことにより、複数の領域に分割し、それぞれの領域から異なる音量の音声を出力するように制御してもよい。
【００４９】
次に、本発明に係る画像表示装置の第２実施形態について説明する。
【００５０】
本実施形態に係る画像表示装置２０は、図４に示すように、画像を表示する表示部２１を有している。表示部２１としては、第１実施形態と同様に、各種ディスプレイが適用可能であるが、ここでは、電子ペーパーを例にして説明する。
【００５１】
表示部２１は、例えば、１対の電極間に異なる極性に帯電した着色粒子を封入して構成され、表示部駆動装置３９（図５参照）により、電極に電圧が印加されることによって着色粒子が移動して所定の画像が表示されるようになっている。
【００５２】
表示部２１の前面には、長手方向に４つ、長手方向と直交する方向に２つに分割されて、第１薄膜スピーカ２２、第２薄膜スピーカ２３、第３薄膜スピーカ２４、第４薄膜スピーカ２５、第５薄膜スピーカ２６、第６薄膜スピーカ２７、第７薄膜スピーカ２８、第８薄膜スピーカ２９がそれぞれ設けられている。各薄膜スピーカ２２〜２９は、第１実施形態の薄膜スピーカ４，５，６，７と同様に構成されており、スピーカ駆動装置３０（図５参照）により、それぞれの電極に導電線を介して電圧が印加されることによって、それぞれ独立して音声が出力されるようになっている。なお、導電線は、透明なものを用いるようにすれば、画像の表示を妨げることはない。
【００５３】
また、表示部の下方には、ユーザの指示を入力する入力操作部３１が設けられている。
【００５４】
図５は、本実施形態における画像表示装置２０を制御するための制御装置３１を示したものであり、この制御装置３１は、たとえば、ＣＰＵ３３、ＲＡＭ３４、ＲＯＭ３５からなり、ＲＯＭ３５に記録された処理プログラムをＲＡＭ３４に展開してＣＰＵ３３によりこの処理プログラムを実行する制御部３６を有している。
【００５５】
この制御部３６は、前述の処理プログラムに従い、表示部駆動装置３９、スピーカ駆動装置３０及びテキストデータと朗読音声データとが対応付けられて記憶された記憶装置３７等の動作状況等のステータスに基づいて、各構成の動作を制御するようになっている。
【００５６】
ＲＯＭ３５には、表示部２１に表示する文字に対応させて、いずれの薄膜スピーカ２２〜２９から朗読音声を出力させるかを決定するための朗読音声分配プログラム３８が記憶されている。
【００５７】
この朗読音声分配プログラム３８に従って、制御部３６は、表示部２１の朗読箇所に対応する文字が表示される位置から朗読音量を出力させるように、各薄膜スピーカ２２〜２９に対する朗読音声の分配処理を行うようになっている。
【００５８】
次に、本実施形態の作用について説明する。
【００５９】
図６に示すように、入力操作部３１からの指示入力によって記憶装置３７よりテキストデータが入力されると、このテキストデータに基づいて表示部駆動装置３９が制御され、所定の文章が表示部２１に表示される（Ｓ１０）。
【００６０】
次に、制御部３６により、表示部２１に表示された文章の先頭の単語が表示部２１のどの位置に存在するかが認識されるとともに（Ｓ１１）、当該単語に対応する朗読音声が、朗読音声データから検出される（Ｓ１２）。
【００６１】
次に、検出した当該単語に対応する朗読音声が、表示部２１の当該単語が存在する位置に対応する薄膜スピーカ２２〜２９から出力させるように、スピーカ駆動装置３０を制御されるようになっている（Ｓ１４）。これにより、文字から朗読音声が発せられているように視聴される。
【００６２】
そして、制御部３６は、表示部２１に表示された文章に次の単語があるかを判断し（Ｓ１４）、ない場合には、朗読音声の分配処理を終了し（Ｓ１５）、次の単語がある場合には、当該単語が表示部２１のどの位置に存在するかを認識し（Ｓ１６）、Ｓ１２〜Ｓ１４を繰り返すようになっている。
【００６３】
以上より、本実施形態によれば、表示部２１の朗読箇所に対応する文字が表示される位置から朗読音声が出力されるため、簡易な構成により、臨場感を得ることができる。
【００６４】
なお、本実施形態においては、表示部２１に表示された文章の先頭の単語から朗読音声の分配処理を行い、朗読音声を先頭から随時出力させるようにしたが、入力操作部３１より入力される朗読音声の再生指示、停止指示、先送り指示、後戻し指示に従って、朗読音声を途中から出力させるようにしてもよい。この場合、制御部３６は、出力されようとする朗読音声の先頭に対応する単語を、テキストデータから検出し、当該単語が表示部２１のどの位置に存在するかを認識して、表示部２１の当該単語が存在する位置に対応する薄膜スピーカ２２〜２９から朗読音声を出力させるようにするとよい。
【００６５】
【発明の効果】
請求項１に記載の発明によれば、薄膜スピーカは、表示部の前面又は表示部の裏面に対応する位置の少なくともいずれか一方に設けられており、表示部に表示する画像の位置に対応して、各薄膜スピーカから出力させる音声の音量が制御されるため、画像の位置とより大きな音量で出力される音声の位置とが一致し、その結果、簡易な構成により、臨場感を得ることができる。
【００６６】
請求項２に記載の発明によれば、画像が動画である場合にも、変化する画像の位置とより大きな音量で出力される音声の位置とが一致するため、簡易な構成により、臨場感を得ることができる。
【００６７】
請求項３に記載の発明によれば、動画において人の顔部分が表示される位置から、人の声がより大きな音量で出力されるため、簡易な構成により、臨場感を得ることができる。
【００６８】
請求項４に記載の発明によれば、静止画において人の顔部分が表示される位置から、人の声がより大きな音量で出力されるため、簡易な構成により、臨場感を得ることができる。
【００６９】
請求項５に記載の発明によれば、表示部の朗読箇所に対応する文字が表示される位置からより大きな音量で音声が出力されるため、簡易な構成により、臨場感を得ることができる。
【００７０】
請求項６に記載の発明によれば、表示部が薄膜ディスプレイであるため、かさばらずにすむとともに、薄膜ディスプレイに表示される画像の位置から音声がより大きな音量で出力されるため、簡易な構成により、臨場感を得ることができる。
【００７１】
請求項７に記載の発明によれば、表示部が有機ＥＬディスプレイである場合も表示される画像の位置から音声がより大きな音量で出力されるため、簡易な構成により、臨場感を得ることができる。
【００７２】
請求項８に記載の発明によれば、周囲のノイズが減少され、表示される画像の位置から出力される音声がより際立つため、簡易な構成により、臨場感を得ることができる。
【図面の簡単な説明】
【図１】本発明による画像表示装置の一実施形態の構成を示す図である。
【図２】第１実施形態の構成を示すブロック図である。
【図３】第１実施形態における音声分配処理の内容を示すフローチャートである。
【図４】本発明による画像表示装置の他の実施形態の構成を示す図である。
【図５】第２実施形態の構成を示すブロック図である。
【図６】第２実施形態における朗読音声分配処理の内容を示すフローチャートである。
【符号の説明】
１，２０              画像表示装置
２，２１              表示部
４〜７，２２〜２９    薄膜スピーカ
１４，３６            制御部
【図１】
2005012255.tif 000003
【図２】
2005012255.tif 000004
【図３】
2005012255.tif 000005
【図４】
2005012255.tif 000006
【図５】
2005012255.tif 000007
【図６】
2005012255.tif 000008